(57)【要約】      （修正有）【課題】全体が一体の折り畳み自在な構造とすることができ、形態保持性にも優れ、荷物の受取りの際に、玄関等に容易に載置しておくことができる宅配ボックスを提供する。【解決手段】プラスチック製段ボール等で構成され、前後壁２・３、左右壁４・５および底壁６を有する上部が開口したボックス本体１Ａと、ボックス本体１Ａの上部開口ＵＥを塞ぐ蓋体１Ｂを有し、左右壁４・５が左右壁折曲部７Ａ・７Ｂによって、内方または外方へ屈曲自在となされており、前後壁２・３および左右壁４・５のうちの互いに対向する少なくとも一対の壁の各下縁には、前記底壁６を支持する底壁支持部が設けられており、前記蓋体１Ｂや底壁６が揺動自在な構造となされている。【選択図】図１
2020065686.tif 000002
【特許請求の範囲】
【請求項１】
前後壁、左右壁および底壁を有する上部が開口したボックス本体と、ボックス本体の上部開口を塞ぐ蓋体を有する宅配ボックスであって、左右壁の前後方向中央部分および前後方向両端寄り部分に、上下方向に伸びる左右壁折曲部がそれぞれ形成され、これら左右壁折曲部によって左右壁が内方または外方へ屈曲自在となされており、前後壁および左右壁のうちの互いに対向する少なくとも一対の壁の各下縁には、前記底壁を支持する底壁支持部が設けられている、宅配ボックス。
【請求項２】
底壁が、その前縁または後縁に形成された底壁折曲部を介して前壁または後壁の下縁に揺動自在に連設されている、請求項１記載の宅配ボックス。
【請求項３】
底壁が、別部材となされている、請求項１記載の宅配ボックス。
【請求項４】
ボックス本体の内面に、底壁の上方への押し上げを阻止する押上防止手段が設けられている、請求項１〜請求項３のうちのいずれか一項記載の宅配ボックス。
【請求項５】
蓋体が開くのを阻止する施錠手段が設けられている、請求項１〜請求項４のうちのいずれか一項記載の宅配ボックス
【請求項６】
ボックス本体の外底面に当該ボックス本体を支持する脚部が設けられている、請求項１〜請求項５のうちのいずれか一項記載の宅配ボックス。
【請求項７】
ボックス本体に、持ち運び手段として、取っ手またはベルトが設けられている、請求項１〜請求項５のうちのいずれか一項記載の宅配ボックス。
【請求項８】
盗難防止手段を有する、請求項１〜請求項７のうちのいずれか一項記載の宅配ボックス。
【請求項９】
ボックス全体が、プラスチック製段ボールおよび／または合成樹脂製ボードで構成されている、請求項１〜請求項８のうちのいずれか一項記載の宅配ボックス。
【発明の詳細な説明】
【技術分野】
【０００１】
本発明は、一戸建て住宅やマンション等の集合住宅の玄関（エントランス）等において、配達されてくる各種商品等の荷物を家人や入居者（以下、「家人等」という）に代わって受け取るための宅配ボックスに関する。
【背景技術】
【０００２】
近年、インターネットを介した通信販売やテレビショッピングの急拡大によって、日用品や事務用品、健康食品その他の種々の商品が宅配業者の配達員（以下、単に「配達員」という）によって、購入者の自宅へ配達されることが非常に多くなっているが、購入者である家人等が不在であった場合には、配達員が家人等の郵便受けに不在配達票を入れておき、帰宅した家人等が前記不在配達票を見て、前記配達員の連絡先に電話等を行って荷物の再配達を依頼し、連絡を受けた前記配達員は、家人等の在宅時に再び荷物を配達することとなる。
【０００３】
しかしながら、前述した再配達において、家人等は、配達員に連絡して再配達の日時を打ち合わせすると共に、その再配達の日時に必ず在宅して荷物を受け取る必要があり、また配達員も再配達のために再び同じ配達先に行く必要があることから、宅配業者にとっても家人等にとっても再配達に手間と時間を要するという問題があった。
【０００４】
また、近年、前述した通り、通信販売等の急拡大によって、宅配荷物が急激に増加しているのに対して、人手不足によって、配達員の確保が困難な状況となっていることから、物流システムの改革が強く求められている状況である。
【０００５】
このような実情に鑑みて、最近では、一戸建て住宅の玄関やマンション等の集合住宅のエントランスに、宅配されてくる荷物を受け取るための宅配ボックスが置かれることが多くなってきている。
【０００６】
宅配ボックスは、通常、配達されてくる荷物を入れる、上部が開口したボックス本体と、ボックス本体の上部開口を塞ぐ蓋体で構成されており、より詳細には、以下のようなものが知られている。
【０００７】
荷物を収納するボックス本体と、ボックス本体の上部開口を開閉する蓋体とを備えた宅配ボックスであって、蓋体は、上部開口が開の状態で荷物を載置でき、同開口が閉の状態で荷物を本体下部に落下させる傾動載置板と、開閉のための把持具とを有し、ボックス本体が、その下部に落下する荷物を所定位置に案内する案内板と、所定位置に敷かれる二層緩衝マットとを有し、二層緩衝マットが衝撃吸収層と、衝撃吸収層の上面に敷設される耐久層とを具備するものが知られている。
【０００８】
しかしながら、前述した構造の宅配ボックスでは、サイズが大きい配達荷物も収納可能とするためには、宅配ボックス自体の全体サイズを大きくする必要があるが、このような全体サイズが大きい宅配ボックスを常時、玄関（エントランス）に置いておくと家人等の人の出入りの妨げになり、また荷物の配達予定がないときに、当該宅配ボックスを玄関（エントランス）以外の他の場所に置いておく場合でも、ある程度広い保管スペースが必要になるという不都合があった。
【０００９】
また、前述したような不都合に対処するために、配達荷物の出入口が上面に形成された中空のボックス本体と、前記出入口を開閉する開閉部材とを有し、ボックス本体には、少なくとも前記開閉部材が地面から露出されるように地中に埋設される埋設部と、 前記ボックス本体内の荷物を上昇させる上昇部等とを備えた屋外埋め込み式の宅配ボックスも知られている。
【００１０】
しかしながら、前述した屋外埋め込み式の宅配ボックスの場合、該ボックスを地中に埋め込むための土木作業が必要になり、その施工に多くの時間と費用がかかる上、玄関先に適当な埋設場所がない住宅には設置できず、既存のマンション等のエントランスには全く使用できないものであった。
【先行技術文献】
【特許文献】
【００１１】
【特許文献１】特開２０１７−２１３４１８号公報
【特許文献２】特開２０１８−１４０１４８号公報
【特許文献３】実用新案登録第３２１３８５９号公報
【特許文献４】特表２０１８−５２５０３８号公報
【発明の概要】
【発明が解決しようとする課題】
【００１２】
更に、前項で述べた宅配ボックスの不都合を解消し得るものとして、全体がシート状のソフト素材で構成されたバック状の宅配ボックスであって、底部と周側部とからなる、上部が開口した本体部と、該本体部の前記上部開口を塞ぐ蓋部を有し、前記本体部が折り畳み自在となっているものが知られている。
【００１３】
しかしながら、前述したソフト素材からなる宅配ボックスでは、全体の形態保持性が低いために、配達荷物が配達されるまでに型崩れし易いという欠点があった。
【００１４】
この他、平面から見てコ字状の断面を有する背板と、背板の両端部の角部に折り畳まれるように連設され、長さ中間部分が内側に屈曲するように設けられる一対の側板と、  これら側板に折り畳み自在に連結されて、前記背板に対応するように形成された前板と、 前記背板の下端部に一側端部の角部が回転可能に連設され、前記一対の側板が開かれた状態で形成される空間の底を構成する底板等を備えた折り畳み式の宅配ボックスも知られている。
【００１５】
しかしながら、前述した宅配ボックスでは、前板、側板、背板および底板等の構成部材を所要数製作して、組み立てる作業が必要であり、また不使用時には分解するのに手間を要する等、使用上の多くの不都合があった。
【００１６】
本発明の目的は、前記従来の問題を一挙に解決することができる宅配ボックスを提供することにある。
【課題を解決するための手段】
【００１７】
請求項１記載の本発明は、前後壁、左右壁および底壁を有する上部が開口したボックス本体と、ボックス本体の上部開口を塞ぐ蓋体を有する宅配ボックスであって、左右壁の前後方向中央部分および前後方向両端寄り部分に、上下方向に伸びる左右壁折曲部がそれぞれ形成され、これら左右壁折曲部によって左右壁が内方または外方へ屈曲自在となされており、前後壁および左右壁のうちの互いに対向する少なくとも一対の壁の各下縁には、前記底壁を支持する底壁支持部が設けられているものである。
【００１８】
請求項２記載の本発明は、前記請求項１記載の宅配ボックスについて、底壁が、その前縁または後縁に形成された底壁折曲部を介して前壁または後壁の下縁に揺動自在に連設されていることを特徴とする。
【００１９】
請求項３記載の本発明は、前記請求項１記載の宅配ボックスについて、底壁が、別部材となされていることを特徴とする。
【００２０】
請求項４記載の本発明は、前記請求項１〜請求項３のうちのいずれか一項記載の宅配ボックスについて、ボックス本体の内面に、底壁の上方への押し上げを阻止する押上防止手段が設けられていることを特徴とする。
【００２１】
請求項５記載の本発明は、前記請求項１〜請求項４のうちのいずれか一項記載の宅配ボックスについて、蓋体が開くのを阻止する施錠手段が設けられているものである。
【００２２】
請求項６記載の本発明は、前記請求項１〜請求項５のうちのいずれか一項記載の宅配ボックスについて、ボックス本体の外底面に当該ボックス本体を支持する脚部が設けられていることを特徴とする。
【００２３】
請求項７記載の本発明は、前記請求項１〜請求項５のうちのいずれか一項記載の宅配ボックスについて、ボックス本体に、持ち運び用手段として、取っ手またはベルトが設けられているものである。
【００２４】
請求項８記載の本発明は、前記請求項１〜請求項７のうちのいずれか一項記載の宅配ボックスについて、盗難防止手段を有する。
【００２５】
請求項９記載の本発明は、ボックス全体が、プラスチック製段ボールまたは合成樹脂製ボードで構成されているものである。
【００２６】
なお、本発明の宅配ボックスにおける各折曲部等は、所謂、半切り加工や断面Ｖ形の熱溶解加工等によって構成される。
【発明の効果】
【００２７】
本発明に係る宅配ボックスは、前後壁、左右壁および底壁を有する上部が開口したボックス本体と、ボックス本体の上部開口を塞ぐ蓋体を有する宅配ボックスであって、左右壁の前後方向中央部分および前後方向両端寄り部分に、上下方向に伸びる左右壁折曲部がそれぞれ形成され、これら左右壁折曲部によって左右壁が内方または外方へ屈曲自在となされており、前後壁および左右壁のうちの互いに対向する少なくとも一対の壁の各下縁には、前記底壁を支持する底壁支持部が設けられているものであるため、先ず前記左右壁折曲部によって、ボックス本体を折り畳むことができる。
【００２８】
そのため、宅配荷物を受け取る予定がないとき等、本発明の宅配ボックスの不使用時には、簡単に折り畳んで保管することができ、玄関先で家人等の出入りの妨げになることがない。
【００２９】
そして、宅配荷物を受け取る予定がある際には、再び即座に組み立てて玄関等に置くだけで良いため、設置も極めて容易である。したがって、一戸建て住宅やマンション等の集合住宅においても広く使用することが可能である。
【００３０】
更に、本発明に係る前記構造の宅配ボックスは、全体を、プラスチック製段ボールおよび／または合成樹脂製ボードで構成することができるため、組立も容易であると共に、その形態保持性も十分に確保され、更に風雨に対しても十分な耐久性を有する等、種々の実用的利点を有する。
【００３１】
また、本発明に係る宅配ボックスによれば、前述した通り、全体を、プラスチック製段ボールおよび／または合成樹脂製ボードで構成することで、当該宅配ボックスを構成する前後壁、左右壁および底壁、更には蓋体をも全て連なった一体構成のものとすることが容易にできるため、家人等の使用者は、使用にあたって、従来の宅配ボックスのように、各構成部材同士を結合して組立てたり、分解したりする作業も不要であるため、維持管理も極めて容易に行える等、種々の有利な効果が得られる。
【図面の簡単な説明】
【００３２】
【図１】本発明の実施形態に係る宅配ボックスの斜視図であって、蓋体を開けた状態を示す。
【図２】同実施形態の宅配ボックスであって、蓋体を閉めた状態を示す。
【図３】同実施形態の宅配ボックスの内部を示す平面斜視図である。
【図４】図３における前壁側の拡大図である。
【図５】図３における後壁側の拡大図である。
【図６】同実施形態における蓋体部分の拡大斜視図である。
【図７】同実施形態の宅配ボックスの組立て状態における底面図である。
【図８】同実施形態の宅配ボックスにおける底壁を引き上げた状態の平面斜視図である。
【図９】図８の状態から左右壁を折り畳み始めた状態の平面斜視図である。
【図１０】図９の状態から当該宅配ボックスを完全に折り畳んだ状態の平面図である。
【図１１】図９の完全折り畳み状態での宅配ボックスの底面図である。
【図１２】図１１の状態での斜視図である。
【発明を実施するための形態】
【００３３】
次に、本発明の実施形態を図面にしたがって説明するが、本発明はかかる実施形態に限定されるものではない。
【００３４】
図１〜図８に示すように、本実施形態に係る宅配ボックス１は、プラスチック製段ボールおよび／または合成樹脂製ボードで構成されるものであって、前後壁２・３、左右壁４・５および底壁６を有する上部が開口したボックス本体１Ａと、ボックス本体１Ａの上部開口ＵＥを塞ぐ蓋体１Ｂを有し、左右壁４・５の前後方向中央部分および前後方向両端寄り部分に、上下方向に伸びる左右壁折曲部７Ａ・７Ｂがそれぞれ形成され、これら左右壁折曲部７Ａ・７Ｂによって左右壁４・５が内方へ屈曲自在となされており、前後壁２・３および左右壁４・５のうちの互いに対向する少なくとも一対の壁の各下縁には、前記底壁６を支持する底壁支持部８Ａ・８Ｂが設けられている。本実施形態では、これら底壁支持部８Ａ・８Ｂは、前壁２および左右壁４・５の各下縁において、該部から内方に突出して前記底壁６を受ける構造となされており、より詳細には、本実施形態では、左右壁４・５における前記左右壁折曲部７Ａ（前後方向中央部分）の前後両側下縁にそれぞれ底壁支持部８Ａが突設され、また前壁２の下縁にもその全長にわたって底壁支持部８Ｂが突設され、底壁支持部８Ｂの左右方向中央部分は、拡幅部８ＢＷとなされている。
【００３５】
本実施形態では、宅配ボックス１を構成する前後壁２・３、左右壁４・５および底壁６（ボックス本体１Ａ）、並びに蓋板１Ｂは、分離しない全体が一体構成のものである。
【００３６】
すなわち、本実施形態では、前記各壁２・３・４・５・６（ボックス本体１Ａ）および蓋体１Ｂは、いずれも二枚のプラスチック製段ボール等で構成されており、前後壁２・３と左右壁４・５は、互いに隣り合う壁の端部同士がつながっている。
【００３７】
また、本実施形態では、底壁６は、その後縁に形成された底後折曲部９を介して後壁３の下縁に揺動自在に連設されている。また、図中２５は使用者が指を入れて底壁６を引き上げるための指差込用切欠を示す。
しかしながら、本発明はこのような構造に限定されず、底壁６を単体の別部材とし、これを前後壁２・３および左右壁４・５からなる角筒状体の底部に落とし込む構造として前記底壁支持部８Ａ・８Ｂで受けるようにする場合もある。
【００３８】
図３〜図５に示すように、本実施形態では、底壁６の上方への押し上げを阻止する押上防止手段として、前壁２の内面中央部分にプラスチック製段ボール等で構成された舌状部材１１が付設されており、より詳細には、舌状部材１１は、前壁２内面に貼着された方形ベース板部１１ａと、方形ベース板部１１ａの下縁に形成されたベース折曲部１２Ａを介して該部から揺動自在に連成された垂下部１１ｂと、垂下部１１ｂの下縁に形成された垂下折曲部１２Ｂを介して垂下部１１ｂに連成された押さえ部１１ｃとを有する。そして、このような構成の舌状部材１１によって、底壁６が上方から押えられて、外底面側の押上げを阻止するようになされている。
【００３９】
図１、図５および図６に示すように、本実施形態の宅配ボックス１では、蓋体１Ｂは、前記ボックス本体１Ａの上部開口ＵＥを閉止する方形サイズであって、前縁に屈曲垂下壁１Ｂａを有し、また下面にはその外形周縁部分よりも一回り小さい外形サイズの下面板１０が積層状に貼着され、該下面板１０の前縁には左右一対の係合凸部１０ａが形成され、前壁２の後面上部に設けられたフランジ部２６には、前記係合凸部１０ａが嵌め入れられる横長方形の係合孔２０が形成されている。そして、蓋体１Ｂは、後壁３の外面に積層接着された蓋体ベース板３３の上縁における蓋後折曲部２９を介してボックス本体１Ａの上部開口ＵＥ側へ揺動自在となされている。
【００４０】
図１および図６に示すように、宅配ボックス１は、施錠手段を設けることで、その蓋体１Ｂでボックス本体１Ａの上部開口ＵＥを塞いだ状態が維持されるようにする場合もあり、例えば、蓋板１Ｂに回動自在な掛止部材３９を設け、該掛止部材３９が掛けられる固定鍵部４０をボックス本体１Ａの前壁２の上部内面に設けて、電子的方法や機械的方法によって、蓋体１Ｂが施錠されるようにする。
【００４１】
更に、図１および図２に示すように、左側壁４と後壁３に設けた透孔４２にワイヤ４１を通して、該ワイヤ４１を家等の玄関や門における柱等（図示せず）に固定しておくことで、当該宅配ボックス１自体の盗難を防止するようにしても良い。
【００４２】
また、図１および図２に示すように、左右壁４・５には必要に応じて取っ手４５を設ける場合もある。
【００４３】
図７、図１１および図１２に示すように、本実施形態の宅配ボックス１では、ボックス本体１Ａの外底面（底壁６の下面）の四隅に当該ボックス本体１Ａを支持する脚部１３が設けられている。
【００４４】
また、本実施形態の宅配ボックス１におけるボックス本体１Ａを構成する前述した前後壁２・３、左右壁４・５および底壁６は、前述した通り、いずれも二枚構成の二層構造であり、前記脚部１３は、左右壁４・５の内面前後端部分に貼着された上下方向に伸びる棒板状部材４ａ・５ａの下端部に延長状に形成されたものである。
【００４５】
次に、本実施形態に係る宅配ボックス１の使用要領について説明すると、図１および図２に示すような組立状態においては、図１および図６に示すように、蓋体１Ｂを開けて、ボックス本体１Ａ内に宅配の配達員が荷物を入れたり、入れられた荷物を家人等が取り出すことで、家人等は、不在時においても確実に荷物を受け取ることができる。
【００４６】
一方、図８および図９に示すように、配達荷物の予定がない場合であって、玄関等の出入口に当該宅配ボックス１を置いたままにしておくと、家人等の出入りを妨げる場合には、底壁６の指差込用切欠２５に指を入れて、底壁６をボックス本体１Ａの底部から引き上げて、該底部を開口状態とした後（図８）、左右壁４・５における左右壁折曲部７Ａ・７Ｂを折り曲げて、左右壁４・５を内方へ屈曲させることで（図９）、図１０および図１１に示すように、ボックス本体１Ａを構成する前後壁２・３、左右壁４・５および底壁６が全て左右方向に伸びた状態で、且つ互いに隣接して折り畳まれ、また、蓋体１Ｂについても同様にボックス本体１Ａに隣接して折り畳まれ、最終的に図１０〜図１２に見られるような非常にコンパクトな形態に変貌する。そのため、このような形態として、玄関等の下駄箱の上や郵便ポストの横等に容易に収納しておくことができる。
【産業上の利用可能性】
【００４７】
本発明に係る宅配ボックスは、前述した通り、簡単に折り畳み自在であって、組立時の形態保持性にも優れ、また玄関等の使用場所における設置施工等も一切不要であり、更に、当該宅配ボックスは、全体として一体に連成された複数の構成壁や蓋体で構成でき、所定の折曲部分での折り畳み操作だけで組立および分解が簡単に行える等、従来の宅配ボックスに比べて非常に実用性が高く、製造コストも低廉となし得るため、配達荷物を受け取る物流の末端において幅広い利用が期待できる。
【符号の説明】
【００４８】
１  宅配ボックス
１Ａ  ボックス本体
１Ｂ  蓋体
２  前壁
３  後壁
４  左側壁
５  右側壁
６  底壁
７Ａ・７Ｂ  左右壁折曲部
８Ａ・８Ｂ  底壁支持部
９  底後折曲部
ＵＥ  上部開口
【図１】
2020065686.tif 000003
【図２】
2020065686.tif 000004
【図３】
2020065686.tif 000005
【図４】
2020065686.tif 000006
【図５】
2020065686.tif 000007
【図６】
2020065686.tif 000008
【図７】
2020065686.tif 000009
【図８】
2020065686.tif 000010
【図９】
2020065686.tif 000011
【図１０】
2020065686.tif 000012
【図１１】
2020065686.tif 000013
【図１２】
2020065686.tif 000014